(57)【要約】【課題】手動変速機において、セレクト操作の操作性を損なうようなことなく、シフト操作時の操作フィーリングをよくする。【解決手段】シフトヘッド１の係合凹部１０に進入されてセレクト方向及びシフト方向に移動可能なシフトインナレバー２の先端部２０は、中立位置にあるときのシフト方向の幅Ｌａよりも、シフト位置にあるときのシフト方向の幅Ｌｂの方が大きくなる形状とされている。【選択図】  図１
2016125565.tif 000002
【特許請求の範囲】
【請求項１】
それぞれが係合凹部を有し、かつセレクト方向に並んだ配列に設けられた複数のシフトヘッドと、
これら複数のシフトヘッドをシフト方向に移動させることが可能なように前記係合凹部に進入する先端部を有し、かつこの先端部を中立位置でセレクト方向に移動させるための直進往復動作、及び前記先端部がシフト方向に移動して中立位置とシフト位置とに切り替えられるように基端部側に位置する軸を回転中心とする回転動作が可能とされたシフトインナレバーと、
を備えている、手動変速機におけるシフトヘッドとシフトインナレバーとの組み合わせ構造であって、
前記シフトインナレバーの先端部は、前記中立位置にあるときのシフト方向の幅よりも、前記シフト位置にあるときのシフト方向の幅の方が大きくなる形状とされており、及び／又は、
前記係合凹部のうち、シフト方向において互いに対面する一対の内側壁面は、その内幅が各所一定には形成されておらず、前記シフトインナレバーの先端部が前記中立位置にあるときに、シフト方向において前記先端部に最接近してこの先端部を挟む一対の第１の領域どうしの内幅よりも、前記先端部が前記シフト位置にあるときに、シフト方向において前記先端部に最接近してこの先端部を挟む一対の第２の領域どうしの内幅の方が小さくなるように構成されていることを特徴とする、手動変速機におけるシフトヘッドとシフトインナレバーとの組み合わせ構造。
【発明の詳細な説明】
【技術分野】
【０００１】
本発明は、自動車などの車両用の手動変速機におけるシフトヘッド（シフトブロックとも称する）とシフトインナレバーとの組み合わせ構造に関する。
【背景技術】
【０００２】
本出願人は、車両用の手動変速機のシフト装置として、特許文献１に記載のものを先に提案している。同文献に記載のシフト装置は、図５に示すような構造を有している。
【０００３】
同図に示す構造は、手動変速機の複数のシフトフォーク軸４０に取り付けられたシフトフォーク４を動作させるための複数のシフトヘッド１（１Ａ〜１Ｃ）と、これら複数のシフトヘッド１をシフト方向に移動させるためのシフトインナレバー２とを有している。
複数のシフトヘッド１（１Ａ〜１Ｃ）は、図６（ａ）に示すような配列に設けられており、係合凹部１０を個々に有している。係合凹部１０には、シフトインナレバー２の先端部２０が進入している。先端部２０は、同図左右方向（シフト方向）に移動可能であり、シフトヘッド１を左右いずれにも移動させない中立位置と、同図（ｂ）に示すように、シフトヘッド１Ａ〜１Ｃのいずれかを左側又は右側に移動させるシフト位置とに配置させることが可能である。シフトヘッド１のそのようなシフト方向の移動がなされると、これに対応してシフトフォーク４が動作する。このことにより、手動変速機をたとえば１速〜５速、及び後退Ｒのいずれかに設定することができる。
【０００４】
図５において、シフトインナレバー２の基端部は、軸５（シフトセレクタ軸）に取り付けられている。特許文献１においては、シフトインナレバー２がシフトセレクタ軸に連結されたベルクランク機構（不図示）に取り付けられているが、図５においては、理解の容易のため、軸５をシフトセレクタ軸そのものとして示している。軸５（シフトセレクタ軸）は、車両の運転者によって操作されるチェンジレバーのセレクト方向及びシフト方向の動きに対応し、同図上下方向への移動及び同図水平方向の回転動作を行なう。シフトインナレバー２の先端部２０は、このような動作に基づき、図６（ａ）に示す中立位置でのセレクト方向への移動、及び先に述べたシフト方向の移動が可能である。
【０００５】
しかしながら、前記従来技術においては、次に述べるように、未だ改善すべき余地があった。
【０００６】
すなわち、図６（ａ）に示したシフトインナレバー２の先端部２０のセレクト方向への移動時においては、その動作を円滑に行なわせる必要があり、そのための手段として、係合凹部１０の内側壁面と先端部２０との間には、シフト方向の隙間ｃ１をある程度の幅で設ける必要がある。これに対し、従来においては、図６（ｂ）に示すように、先端部２０がシフトヘッド１を移動させたシフト位置にある際においても、係合凹部１０の内側壁面と先端部２０との間には、前記の隙間ｃ１と同等幅の隙間ｃ２が発生するようになっている。
より具体的には、シフトインナレバー２の先端部２０が、図７（ａ）に示す中立位置にある場合と、同図（ｂ）に示すシフト位置にある場合とで、係合凹部１０内に形成される隙間ｃ１，ｃ２は、同等幅となっている。
ところが、このような構成によれば、運転者がシフト操作を行なう場合において、そのシフト操作が完了した後においても、シフトインナレバー２に比較的大きなガタツキが発生することとなる。このようなガタツキは、シフト操作性を悪化させる要因となる。
【先行技術文献】
【特許文献】
【０００７】
【特許文献１】特開２０００−２７４５２６号公報
【発明の概要】
【発明が解決しようとする課題】
【０００８】
本発明は、前記したような事情のもとで考え出されたものであり、手動変速機において、セレクト操作の操作性を損なうようなことなく、シフト操作時の操作フィーリングをよくすることを、その課題としている。
【課題を解決するための手段】
【０００９】
上記の課題を解決するため、本発明では、次の技術的手段を講じている。
【００１０】
本発明により提供される手動変速機におけるシフトヘッドとシフトインナレバーとの組み合わせ構造は、それぞれが係合凹部を有し、かつセレクト方向に並んだ配列に設けられた複数のシフトヘッドと、これら複数のシフトヘッドをシフト方向に移動させることが可能なように前記係合凹部に進入する先端部を有し、かつこの先端部を中立位置でセレクト方向に移動させるための直進往復動作、及び前記先端部がシフト方向に移動して中立位置とシフト位置とに切り替えられるように基端部側に位置する軸を回転中心とする回転動作が可能とされたシフトインナレバーと、を備えている、手動変速機におけるシフトヘッドとシフトインナレバーとの組み合わせ構造であって、前記シフトインナレバーの先端部は、前記中立位置にあるときのシフト方向の幅よりも、前記シフト位置にあるときのシフト方向の幅の方が大きくなる形状とされており、及び／又は、前記係合凹部のうち、シフト方向において互いに対面する一対の内側壁面は、その内幅が各所一定には形成されておらず、前記シフトインナレバーの先端部が前記中立位置にあるときに、シフト方向において前記先端部に最接近してこの先端部を挟む一対の第１の領域どうしの内幅よりも、前記先端部が前記シフト位置にあるときに、シフト方向において前記先端部に最接近してこの先端部を挟む一対の第２の領域どうしの内幅の方が小さくなるように構成されていることを特徴としている。
ここで、前記「最接近」には、シフトインナレバーの先端部と係合凹部の内側壁面とが「接触」する場合も含まれる。
【００１１】
このような構成によれば、シフトインナレバーの先端部とシフトヘッドの内側壁面との間に形成される隙間は、シフトインナレバーの先端部が中立位置にあるときよりもシフト位置にあるときの方が小さくなる。したがって、セレクト操作を円滑に行なうことができる一方、シフト操作完了後にシフトインナレバーに大きなガタツキが生じないようにし、従来よりも変速操作フィーリングをよくすることが可能である。
また、本発明の構成は、別部材を用いることなく構築することが可能であり、製造コストの上昇を抑制することができる。さらに、前記した構成により、いわゆるガタ詰めを図れば、その分だけ他の部分又は部品の加工精度あるいは組み付け精度を落とすといったことも可能となる。
【００１２】
本発明のその他の特徴及び利点は、添付図面を参照して以下に行なう発明の実施の形態の説明から、より明らかになるであろう。
【図面の簡単な説明】
【００１３】
【図１】（ａ）,（ｂ）は、本発明に係る構造の一例を示す断面図である。
【図２】（ａ）,（ｂ）は、本発明に係る構造の他の例を示す断面図である。
【図３】（ａ）,（ｂ）は、本発明に係る構造の他の例を示す断面図である。
【図４】（ａ）,（ｂ）は、本発明に係る構造の他の例を示す断面図である。
【図５】本発明に係る構造の適用対象となる手動変速機の要部構成の一例を示す斜視図である。
【図６】（ａ）,（ｂ）は、シフトヘッドと変速段との関係を示す説明図である。
【図７】（ａ）,（ｂ）は、従来例の説明図である。
【発明を実施するための形態】
【００１４】
以下、本発明の好ましい実施の形態について、図面を参照して具体的に説明する。
ただし、本発明の実施形態で示す構造は、図５及び図６を参照して説明した従来技術の構造を前提として、シフトヘッド１及び／又はシフトインナレバー２に改良を加えた内容である。したがって、本発明の前提となる基本構造は、既に背景技術の欄で述べており、重複説明は省略する。また、図５及び図６の従来技術と同一又は類似の要素については、前記従来技術と同一の符号を用いる。
【００１５】
図１に示す構造Ａ１においては、シフトインナレバー２の先端部２０の両側面部２１ａ，２１ｂが、平面状又はこれに近い形状とされている。このことにより、シフトインナレバー２の先端部２０は、同図（ａ）の中立位置にあるときの幅Ｌａ（シフト方向の幅であり、以下同様）と、同図（ｂ）のシフト位置にあるときの幅Ｌｂとは、Ｌａ＜Ｌｂの関係となるように構成されている。同図（ｂ）においては、両側面部２１ａ，２１ｂのエッジ寄り部分が水平に近づくため、先端部２０の見掛け上の幅が増大する。先端部２０が同図（ｂ）とは反対側（左側）のシフト位置にあるときも、同図（ｂ）の場合と同様となる。
【００１６】
このような構成によれば、先端部２０と係合凹部１０の内側壁面１１との間に形成される隙間は、先端部２０が中立位置にあるときよりもシフト位置にあるときの方が小さくなる（前記隙間をゼロにすることも可能である）。したがって、セレクト操作を円滑に行なうことができる一方、シフト操作完了後にシフトインナレバーに大きなガタツキが生じないようにし、変速操作フィーリングをよくすることが可能である。
【００１７】
図２に示す構造Ａ２においては、シフトインナレバー２の先端部２０の両側面に、２対の凸状部２２ａ，２２ｂが設けられている。これら２対の凸状部２２ａ，２２ｂは、先端部２０が、同図（ａ）の中立位置にあるときよりも、同図（ｂ）のシフト位置にあるときの方が、水平に近い角度で対向することとなる。凸状部２２ａ，２２ｂのうち、一方の凸状部２２ａは、先端部２０が同図右側に変位した場合の幅の拡大に役立ち、他方の凸状部２２ｂは、それとは反対に、先端部２０が同図左側に変位した場合の幅の拡大に役立つものである。
この構造Ａ２においても、先端部２０が中立位置にある場合とシフト位置にある場合との幅Ｌｃ，Ｌｄは、Ｌｃ＜Ｌｄの関係となり、構造Ａ１の場合と同様な効果を得ることができる。
【００１８】
図３に示す構造Ａ３においては、シフトインナレバー２の先端部２０が、図２の場合とは相違した形状の２組の凸状部２３ａ，２３ｂを有している。一方、シフトヘッド１の一対の内側壁面１１は、その内幅が各所一定には形成されておらず、シフト方向の段差を有する形状とされている。先端部２０が、同図（ａ）の中立位置にあるときには、一対の内側壁面１１のうち、一対の第１の領域１１ａ，１１ｂが、シフト方向において先端部２０に最接近してこの先端部２０を挟んだ配置となる。これに対し、先端部２０が、同図（ｂ）の中立位置にあるときには、一対の第２の領域１１ｃ，１１ｄが、シフト方向において先端部２０に最接近してこの先端部２０を挟んだ配置となる。第１の領域１１ａ，１１ｂの内幅Ｌｅと、第２の領域１１ｃ，１１ｄの内幅Ｌｆとは、Ｌｅ＞Ｌｆの関係となるように構成されている。
【００１９】
この構造Ａ３においても、前記した他の構造Ａ１，Ａ２と同様に、先端部２０とシフト
ヘッド１の内側壁面１１との間に形成される隙間は、先端部２０が中立位置にあるときよりもシフト位置にあるときの方が小さくなる。したがって、本発明が意図する効果を得ることができる。
【００２０】
図４に示す構造Ａ４においては、シフトインナレバー２の先端部２０は、その両側面部に凸状部などが設けられていない断面略円形状またはこれに近い形状とされている。これに対し、シフトヘッド１の一対の内側壁面１１の上部（図面上の上部）には、上側ほど互いに接近する傾斜面１２ａ，１２ｂが設けられ、一対の内側壁面１１の内幅は、各所一定には形成されていない。この構造Ａ４においては、先端部２０が、同図（ａ）の中立位置にあるときには、一対の内側壁面１１のうち、傾斜面１２ａ，１２ｂの近傍の一対の第１の領域１１ｇ，１１ｈが、シフト方向において先端部２０に最接近してこの先端部２０を挟んだ配置となる。これに対し、先端部２０が、同図（ｂ）の中立位置にあるときには、傾斜面１２ａ，１２ｂに位置する第２の領域１１ｅ，１１ｆが、シフト方向において先端部２０に最接近してこの先端部２０を挟んだ配置となる。第１の領域１１ｇ，１１ｈの内幅Ｌｇと、第２の領域１１ｅ，１１ｆの内幅Ｌｈとは、Ｌｇ＞Ｌｈの関係となっている。
このような構造Ａにおいても、先端部２０とシフトヘッド１の内側壁面１１との間に形成される隙間を、先端部２０が中立位置にあるときよりもシフト位置にあるときの方が小さくし、本発明が意図する効果を得ることが可能である。
【００２１】
本発明は、上述した実施形態の内容に限定されない。本発明に係る手動変速機におけるシフトヘッドとシフトインナレバーとの組み合わせ構造の各部の具体的な構成は、本発明の意図する範囲内において種々に設計変更自在である。
シフトヘッドの係合凹部の内側壁面、及びシフトインナレバーの先端部については、上述した実施形態とは異なる形状にすることによっても、本発明が意図する効果を得ることが可能である。
【符号の説明】
【００２２】
Ａ１〜Ａ４  シフトヘッドとシフトインナレバーとの組み合わせ構造
１  シフトヘッド
１０  係合凹部
２  シフトインナレバー
２０  先端部
【図１】
2016125565.tif 000003
【図２】
2016125565.tif 000004
【図３】
2016125565.tif 000005
【図４】
2016125565.tif 000006
【図５】
2016125565.tif 000007
【図６】
2016125565.tif 000008
【図７】
2016125565.tif 000009